(57)【要約】  【課題】  収納性の高い起伏式防水扉で、装置重量の軽量化を図り、かつ常時の通行性及び景観性と、非常時の耐圧性及び機密性を満足する起伏式防水扉を提供する。  【解決手段】  起伏式防水扉１は、給排気口６ａが形成され、床面７ｂ及び壁面７ｃに密着して係合され、非常時に堰として流入水５を堰き止める袋体６と、通路４を正面視して床２及び壁３にＵ字形に形成される溝で、常時において袋体６を床２及び壁３の内部に収納する収納溝７と、袋体６の上部６ｂに設置され、常時において収納溝７の上部７ａを閉合する覆蓋８と、袋体６の内部６ｃに連結され、内部６ｃに給排気可能な給排気手段１２とで構成されている。【選択図】      図８
2006257652.tif 000002
【特許請求の範囲】
【請求項１】
地下設備の入り口等の床と該床の両側縁部に設けられた壁によって形成される通路に設置され、常時は倒伏し、洪水等の非常時には起立し、流入する水を堰き止めることが可能な起伏式防水扉であって、
袋状で、前記通路を正面視して前記床と前記壁とにＵ字形に密着して係合され、内部に給排気可能な給排気口が形成される袋体と、
前記袋体の上部に設置され、前記通路の横断方向において、前記通路の横断幅と同等の長さを有する略板状の床板で形成される覆蓋とを備えたことを特徴とする起伏式防水扉。
【請求項２】
請求項１に記載の起伏式防水扉において、
前記給排気口に給排気手段が接続されていることを特徴とする起伏式防水扉。
【請求項３】
請求項１または請求項２に記載の起伏式防水扉において、
前記袋体が係合された範囲で、前記床を横断する溝が形成されることにより、前記袋体を収納することが可能な収納溝を備えることを特徴とする起伏式防水扉。
【請求項４】
請求項３に記載の起伏式防水扉において、
前記覆蓋は、前記床板の前記横断方向と直交する縦断方向の幅が前記収納溝の前記縦断方向の幅よりも小に設定され、前記床板の前記縦断方向の両側縁部には前記収納溝の深さと同等に幅を有する床フランジが下向きに形成されていることを特徴とする起伏式防水扉。
【請求項５】
請求項４に記載の起伏式防水扉において、
前記覆蓋は、前記横断方向に複数形成されて、前記床板の下面と二つの前記床フランジの内面とに接合され、下方に突出する幅が前記床フランジの幅より小に設定されるリブと、
略板状で、前記リブの前記床板と接合される上端部と反対側の下端部に接合され、前記通路の縦断面において断面形状が上方に略凸状の曲線であり、前記縦断方向の幅が前記床板の前記縦断方向の幅以下で、前記横断方向の長さが前記床板の前記横断方向の幅と同等である保護板とを備えたことを特徴とする起伏式防水扉。
【請求項６】
請求項３から請求項５のいずれかに記載の起伏式防水扉において、
前記収納溝は、前記壁の前記袋体が係合された範囲で、鉛直方向に溝が設けられることにより、前記通路を正面視してＵ字形に溝が形成されることを特徴とする起伏式防水扉。
【請求項７】
請求項６に記載の起伏式防水扉において、
前記覆蓋は、前記覆蓋の前記床板の前記横断方向の両縁端部に上向きに接合される略板状の壁板と、該壁板の前記縦断方向の両側縁部に前記収納溝の内部側に突出する壁フランジとを備えることを特徴とする起伏式防水扉。
【請求項８】
請求項７に記載の起伏式防水扉において、
前記覆蓋は、前記袋体が縮小または膨張し、前記覆蓋が上方または下方に移動した際に、収納溝の内部で鉛直方向に移動自在とする案内が、前記壁フランジに設けられることを特徴とする起伏式防水扉。
【請求項９】
請求項４から請求項８のいずれかに記載の起伏式防水扉において、
前記覆蓋の前記床フランジの外面には、危険表示が設けられていることを特徴とする起伏式防水扉。
【発明の詳細な説明】
【技術分野】
【０００１】
本発明は、地下設備の入口等に設置される起伏式防水扉に関する。
【背景技術】
【０００２】
従来、地下設備、道路等には洪水時の浸水を防ぐため、防水扉が設置される。防水扉には起伏式、スライド式、スイング式等がある。防水扉は、常時は所定の場所に収納されていて、非常時に防水扉として機能するものである。建築物の入り口など景観が要求される場合などは、収納性の高い起伏式が多く採用される。起伏式防水扉は、常時は床の下部に防水扉本体が床となるように収納されていて、非常時に起伏手段により起伏し、防水扉としての機能を果たす。起伏手段としては、油圧による機械式のもの、あるいは吸気膨張体に圧縮空気を供給して起伏させるものなどが提案されている（例えば特許文献１参照）。
【特許文献１】特開平９−１７０３８２号公報
【発明の開示】
【発明が解決しようとする課題】
【０００３】
しかしながら、従来の防水扉においては、防水扉本体が常時は床として機能し、非常時は耐圧板として機能することから、車両等の上載荷重及び水圧に耐えうる構造である必要があった。また、このような条件を満足する防水扉本体は重量が大きくなってしまい、非常時に防水扉本体を起伏させる起伏手段も大がかりなものになってしまう問題があった。
【０００４】
この発明は、上述した事情に鑑みてなされたものであって、収納性の高い起伏式防水扉で、装置重量の軽量化を図り、かつ常時の通行性及び景観性と、非常時の耐圧性及び機密性を満足する起伏式防水扉を提供する。
【課題を解決するための手段】
【０００５】
上記課題を解決するために、この発明は以下の手段を提案している。
請求項１に係る発明は、地下設備の入り口等の床と該床の両側縁部に設けられた壁によって形成される通路に設置され、常時は倒伏し、洪水等の非常時には起立し、流入する水を堰き止めることが可能な起伏式防水扉であって、袋状で、前記通路を正面視して前記床と前記壁とにＵ字形に密着して係合され、内部に給排気可能な給排気口が形成される袋体と、前記袋体の上部に設置され、前記通路の横断幅と同等の前記横断方向の長さを有する略板状の床板で形成される覆蓋とを備えたことを特徴としている。
【０００６】
この発明に係る起伏式防水扉によれば、袋体の給排気口より給気して、袋体の内部を空気で充填すれば、袋体は通路の床及び壁に密着して係合されているので、非常時には堰として流入する水を堰き止めることができる。また、常時においては袋体の内部の空気を排気すれば、上部に設置された覆蓋によって覆われるので、通路の通行に支障が無くなり、通行に際して袋体を傷付ける恐れも無い。また、流入水が排水された後、袋体の内部の空気を排気して袋体を収縮させる際、袋体の上部に覆蓋が設置されているので、覆蓋の重量で袋体の内部の排気を促進することができる。
【０００７】
請求項２に係る発明は、請求項１に記載の起伏式防水扉において、前記給排気口に給排気手段が接続されていることを特徴としている。
この発明に係る起伏式防水扉によれば、袋体に給排気手段が接続されているので、非常時及び常時に、自在に袋体に給排気することができる。
【０００８】
請求項３に係る発明は、請求項１または請求項２に記載の起伏式防水扉において、前記袋体が係合された範囲で、前記床を横断する溝が形成されることにより、前記袋体を収納することが可能な収納溝を備えることを特徴としている。
この発明に係る起伏式防水扉によれば、床を横断する収納溝が形成されていて、収納溝の床面に袋体が係合されているので、常時は収納溝の内部に収縮した袋体が収納されるので、より収納性が高くなる。
【０００９】
請求項４に係る発明は、請求項３に記載の起伏式防水扉において、前記覆蓋は、前記床板の前記横断方向と直交する縦断方向の幅が前記収納溝の前記縦断方向の幅よりも小に設定され、前記床板の前記縦断方向の両側縁部には前記収納溝の深さと同等に幅を有する床フランジが下向きに形成されていることを特徴としている。
この発明に係る起伏式防水扉によれば、覆蓋を構成する床板及び床フランジによって、常時においては、収納溝の段差を解消し、隙間を塞ぐことができる。これにより、常時における通行性をより高めることができる。また、床フランジによって収納溝の内部に隙間が形成されて、この隙間に収縮した袋体を収納することができる。
【００１０】
請求項５に係る発明は、請求項４に記載の起伏式防水扉において、前記覆蓋は、前記横断方向に複数形成されて、前記床板の下面と二つの前記床フランジの内面とに接合され、下方に突出する幅が前記床フランジの幅より小に設定されるリブと、略板状で、前記リブの前記床板と接合される上端部と反対側の下端部に接合され、前記通路の縦断面において断面形状が上方に略凸状の曲線であり、前記縦断方向の幅が前記床板の前記縦断方向の幅以下で、前記横断方向の長さが前記床板の前記横断方向の幅と同等である保護板とを備えたことを特徴としている。
【００１１】
この発明に係る起伏式防水扉によれば、覆蓋にリブが形成されることによって、常時の通行時における、上載荷重に対する覆蓋の強度が高くなる。また、保護板を備えることにより、袋体は保護板と接するので、リブにより袋体を傷付ける恐れが無い。また、非常時に水圧がかかると、袋体は後方に変位する。この際、袋体の上部は保護板の下面を摺動するが、保護板は縦断面形状が上方に略凸状の曲線であるので、抵抗を少なくして摺動することができる。
【００１２】
請求項６に係る発明は、請求項３から請求項５のいずれかに記載の起伏式防水扉において、前記収納溝は、前記壁の前記袋体が係合された範囲で、鉛直方向に溝が設けられることにより、前記通路を正面視してＵ字形に溝が形成されることを特徴としている。
この発明に係る起伏式防水扉によれば、袋体の壁に係合されている部分においても、袋体を収納溝に収納することができる。
【００１３】
請求項７に係る発明は、請求項６に記載の起伏式防水扉において、前記覆蓋は、前記覆蓋の前記床板の前記横断方向の両縁端部に上向きに接合される略板状の壁板と、該壁板の前記縦断方向の両側縁部に前記収納溝の内部側に突出する壁フランジとを備えることを特徴としている。
この発明に係る起伏式防水扉によれば、常時は壁の部分おいても袋体が収納溝と覆蓋で形成される隙間に収納される。これにより、常時において袋体は覆蓋によって完全に覆われた状態となり、袋体を保護することができるとともに、景観性を高めることができる。
【００１４】
請求項８に係る発明は、請求項７に記載の起伏式防水扉において、前記覆蓋は、前記袋体が縮小または膨張し、前記覆蓋が上方または下方に移動した際に、収納溝の内部で鉛直方向に移動自在とする案内が、前記壁フランジに設けられることを特徴としている。
この発明に係る起伏式防水扉によれば、非常時に袋体が膨張した際に、袋体の上部に設置される覆蓋も上方へ移動するが、覆蓋の壁フランジと収納溝の側面との間に案内が設けられているので、円滑に上下に移動することができる。
【００１５】
請求項９に係る発明は、請求項４から請求項８のいずれかに記載の起伏式防水扉において、前記覆蓋の前記床フランジの外面には、危険表示が設けられていることを特徴としている。
この発明に係る起伏式防水扉によれば、非常時は起伏防水扉が起伏して、通路の通行が不可能であるが、外部より目視できる床フランジの外面に危険表示をして、通行者に注意喚起することができる。常時は床フランジの外面が収納溝の内部に収納されていることから、非常時のみ作用できるようになっている。
【発明の効果】
【００１６】
本願発明によれば、防水扉本体として構成される部材が、給気することにより膨張した袋体なので装置重量の軽量化を図ることができる。さらに、常時は排気することにより、防水扉本体である袋体を収縮させることができるので、少ない収納スペースで収納性の高い起伏式防水扉を実現できる。また、通路を正面視してＵ字形の形状である覆蓋を袋体の上部に設置することにより、常時においては通路としての機能を果たすとともに、完全に袋体を防護することが可能であり、袋体を損傷させる恐れが無く、また景観上も好ましい。装置全体として、機械的構造をほとんど使用していないので、故障等の恐れが少なく、維持管理上優れている。このようなことから、装置コストとして、維持コストとして経済的に有利な起伏式防水扉を実現することができる。
【発明を実施するための最良の形態】
【００１７】
図１から図９は、この発明に係る実施形態を示している。図１は平面図、図２は常時における正面図、図３は非常時における正面図を表している。図４は常時における断面図、図５は非常時における断面図を表している。また、図６、図７は常時において、それぞれ通路側から及び壁側からの斜視図を表している。さらに、図８、図９は非常時において、それぞれ通路側から及び壁側からの斜視図を表している。
【００１８】
図１から図３に示すように、この発明の起伏式防水扉１は、床２と床２の両側縁部２ａに設けられた壁３とよって形成される通路４に設置するものである。例えば地下設備の入り口あるいはアンダーパスの道路などに設置され、常時は床２の内部に収納されて通行を確保し、洪水などの非常時は堰が形成されて、水が流入するのを防ぐ。
【００１９】
図２、図３、図５に示すように、起伏式防水扉１は、給排気口６ａが形成され、非常時に堰として流入水５を堰き止める袋体６と、通路４を正面視して床２及び壁３にＵ字形に形成される溝で、常時において袋体６を床２及び壁３の内部に収納する収納溝７と、袋体６の上部６ｂに設置され、常時において収納溝７の上部７ａを閉合する覆蓋８と、袋体６を床２及び壁３に係合するゴム押え工９、１０、１１と、袋体６の内部６ｃに連結され、内部６ｃに給排気可能な給排気手段１２とで構成されている。
【００２０】
図５、図８及び図９に示すように、袋体６はラバー製で、非常時に内部６ｃが空気で充填される場合において、通路４の縦断方向Ａにおける断面形状が略円形で、通路４の横断方向Ｂに細長の略円筒形に形成される。袋体６は、ゴム押え工９、１０で収納溝７の内部の床面７ｂに係合されている。また、袋体６の横断方向Ｂの両端部６ｄはゴム押え工１１で収納溝７の内部の壁面７ｃに係合されるとともに、袋体６の内部６ｃが閉合された状態になっている。
【００２１】
ゴム押え工９、１０、１１は複数のアンカーボルト９ａ、１０ａ、１１ａと、略板状で複数のアンカーボルトを挿通する孔を有する押え板９ｂ、１０ｂ、１１ｂとを備えている。
【００２２】
図２、図３に示すように、覆蓋８は略板状の床板１３と、床板１３の横断方向Ｂの両縁端部１３ａに上向きに接合される略板状の壁板１４とで、通路４を正面視してＵ字形に形成されている。横断方向Ｂにおいて、床板１３の長さＬ１３と通路の横断幅Ｗとは同等に設定されている。図４、図５に示すように、縦断方向Ａにおいて、床板１３の幅Ｂ１３と壁板１４の幅Ｂ１４とは、収納溝７に隙間無く収納可能なように、収納溝７の幅Ｂ７よりも僅かに小に設定されている。鉛直方向Ｃにおいて、壁板１４の高さＨ１４は袋体６が壁面７ｃに係合されている高さＨ６よりも大に設定されている。床板１３の上面１３ｂは微小な凸部が形成されて、粗面加工がなされている。より具体的には、床板１３には縞鋼板が使用されている。床板１３の縦断方向Ａの両側縁部１３ｃには、鉛直方向Ｃの下向きに床フランジ１５が形成されている。床フランジ１５の幅Ｂ１５は収納溝７の床２部分の深さＨ７ａと同等に設定されている。また、図５に示すように、床フランジ１５の流入水５側の外面１５ａには危険表示がされている。より具体的には、黒及び黄色の縞模様の塗装がなされている。図１、図４及び図５に示すように、床フランジ１５の内側には、向かい合う２枚の床フランジ１５の内面１５ｂと床板１３の下面１３ｄに接合されるリブ１６が形成されている。リブ１６は横断方向Ｂに複数設けられている。鉛直方向Ｃにおいて、リブ１６の幅Ｂ１６は床フランジ１５の幅Ｂ１５より小に設定されている。また、リブ１６の床板１３と接合する上端部１６ａと反対側の下端部１６ｂには、略板状の保護板１７が接合されている。横断方向Ｂにおいて、保護板１７の長さＬ１７は、床板の長さＬ１３と同等に設定され、縦断方向Ａにおいて、保護板１７の幅Ｂ１７は、床板の長さＢ１３よりも小に設定されている。また、通路４の縦断面において上方に略凸状の曲線の断面形状を有している。壁板１４は、縦断方向Ａの両側縁部１４ａに収納溝７の内側へ突出する壁フランジ１８が形成されている。横断方向Ｂにおいて、壁フランジ１８の幅Ｂ１８は、収納溝７の壁２部分の深さＨ７ｂよりも僅かに小に設定されている。壁フランジ１８と、向かい合う収納溝７の側面７ｄとの間には、案内１９が設けられている。案内１９は、壁フランジ１８に複数設けられるローラ２０と、収納溝７の側面７ｄに鉛直方向Ｃに延設され、ローラ２０を鉛直方向Ｃに移動自在に嵌合するレール２１とを備えている。
【００２３】
収納溝７は、床２において横断して溝が形成され、壁３において鉛直方向Ｃに覆蓋８の壁板１４が移動可能な長さＬ７を有し、通路４を正面視してＵ字形に形成されている。より詳しくは、長さＬ７は起伏式防水扉１の非常時の起伏高さＨ１と壁板の高さＨ１４の和よりも大に設定されている。
【００２４】
給排気手段１２は給排気管２２と、給気管２３と、排気管２４と、コンプレッサー２５と、バルブ２６とを備えている。給排気管２２の一端は床２の内部に配管されて、袋体６の給排気口６ａのより内部６ｃに接続されている。給排気管２２の他端は床２及び壁３に配管され、バルブ２６に接続されている。給気管２３の一端はバルブ２６と接続され、他端はコンプレッサー２５と接続されている。排気管２４の一端はバルブ２６と接続され、他端は大気と連通している。
【００２５】
次に、この発明の起伏式防水扉１の作用について説明する。図２、図４、図６、図７は常時における起伏式防水扉１の状態を表す。袋体６は内部６ｃが排気され、収縮した状態であり、収納溝７の内部に収納されている。覆蓋８の床板１３の幅Ｂ１３が収納溝７の幅Ｂ１７より小に設定されているので、袋体６の上部６ｂに設置されている覆蓋８も収納溝７の内部に収納された状態になっている。床フランジ１５の幅Ｂ１５が収納溝７の床２部分の深さＨ７ａと同等であることから、覆蓋８は床フランジ１５の先端１５ｃが収納溝７の内部の床面７ｂに当接された状態で、床板１３の高さが床面２ｂと同等となり、通路を確保できる状態となっている。リブ１６の幅Ｂ１６は床フランジ１５の幅Ｂ１５よりも小に設定されていて、リブ１６の下端部１６ｂに上方に略凸状の曲線の断面形状を有する保護板１７が接合されているので、保護板１７と収納溝７の内部の床面７ｂとの間に隙間７ｅが形成されて、この隙間７ｅに収縮した袋体６が収納されている。一方、収納溝７の壁３の部分にも、収納溝７の壁面７ｃと壁板１４とで隙間７ｆが形成されて、この隙間７ｆに収縮した袋体６が収納されている。このようにして、収縮した袋体６は収納溝７の内部に覆蓋８によって収納され、通路４は覆蓋８の床板１３によって確保される。床板１３の上面１３ｂは粗面加工がなされているので、床板１３の上を通行する際の滑り止めとなる。
【００２６】
次に、洪水等により浸水の恐れがある場合の、起伏式防水扉１の稼動方法について説明する。図３、図５、図８及び図９は非常時における起伏式防水扉１の状態を表す。まず、バルブ２６を給気側に開放して、コンプレッサー２５を起動する。コンプレッサー２５よって、給気管２３と給排気管２２を介して、圧縮空気を袋体６の内部６ｃに給気する。袋体６は、床面７ｂのゴム押え工９、１０と、壁面７ｃのゴム押え工１１とにより、床面７ｂと壁面７ｃとにそれぞれ押え板９ｂ、１０ｂ、１１ｂで挟み込まれ、複数のアンカーボルト９ａ、１０ａ、１１ａによって締め付けられている。これにより、袋体６は床面７ｂと壁面７ｃに密着して係合された状態で膨張する。膨張した袋体６はまず上部６ｂにて保護板１７と当接する。さらに膨張する袋体６は、覆蓋８全体を鉛直方向Ｃの上方へ押し上げる。覆蓋８の壁フランジ１８と、向かい合う収納溝７の側面７ｄとの間には、案内１９が設けられている。このため、膨張する袋体６により覆蓋８全体が上方へ移動する際、袋体６の上部６ｂからの転倒等することが無く、円滑に移動することができる。さらに給気を行い、袋体６の内部６ｃが充填されて、袋体６の縦断方向Ａ断面が略円形になったところで、バルブ２６を閉じる。これにより、袋体６が防水扉本体としての機能を果たす。なお、床ランジ１５の流入水５側の外面１５ａには危険表示がされているので、浸水の前後及び浸水中において、防水扉が起立していることによる注意喚起をすることができる。
【００２７】
図５に示すように、起伏式防水扉１が起立した状態で浸水すると、流入水５によって水圧Ｐを受ける。覆蓋８は収納溝７の側面７ｄによって縦断方向Ａに拘束されているので、袋体６のみが、水圧Ｐによって、水圧Ｐを受ける側と反対側の位置Ｄに変位する。この際、保護板１７の下面１７ａを袋体６が摺動するが、保護板１７が上方に略凸状の曲線の断面形状を有しているため、円滑に摺動することができる。
【００２８】
次に、浸水した状態が改善され、常時の状態に戻す場合について説明する。図２、３に示すように、まずバルブ２６を排気側に開放する。すると、袋体６の内部６ｃに充填されていた空気が、給排気管２２と排気管２４を介して排気される。この作業によって、袋体６は次第に収縮し、覆蓋８は案内１９に従って下方に移動し、再び図２、図４、図６及び図７に示す常時の倒伏した状態となる。なお、この際袋体６の上部６ｂに覆蓋８が上載された状態となっているので、覆蓋８の重量によって、袋体６の排気が促進される。
【００２９】
起伏式防水扉１の使用方法について説明したが、ラバー製の袋体６で従来鋼製などであった防水扉本体としての機能果たすことができるので、装置重量の軽量化を図ることができる。また、覆蓋８によって、常時は床２部においては袋体６の保護及び通路の確保をすることができ、壁３部においても袋体６の保護をすることができ、景観上も好ましい。機械的な構造箇所が給排気手段１２と案内１９のみなので、故障等の恐れが少なく、維持管理の負担を軽減することができる。覆蓋８には上述の袋体の保護、常時における通路の確保の他にも、非常時における注意喚起、排気時の排気促進の効果もあり、高機能でかつ装置コスト及び維持管理コストを削減し、経済的に有利な起伏式防水扉といえる。
【００３０】
以上、本発明の実施形態について図面を参照して詳述したが、具体的な構成はこの実施形態に限られるものではなく、本発明の要旨を逸脱しない範囲の設計変更等も含まれる。
【００３１】
なお、袋体６はラバー製としたが、内部の機密性と浸水時の水密性が保たれ、給排気時に膨張、収縮可能な材質であれば良い。また、覆蓋８は、床板１３と壁板１４には、床フランジ１５、壁フランジ１８が形成され、床板１３にはリブ１６と保護板１７が備えられているとしたが、目的用途に応じて、構造を変えても良い。例えば、通行時の上載荷重が小さい場合は、リブ１６が無い構造としても良いし、壁３部の保護が必要の無い場合においては、壁板１４の無い構造としても良い。少なくとも、防水扉本体としての機能を有する袋体６と、袋体６の上部６ｂを保護する床板１３があれば良い。また、覆蓋８の重量が軽く、起伏式防水扉１を起伏させる際、容易に覆蓋８を上下に移動できる場合は、案内１９のレール２１は省略しても良い。あるいは案内１９を省略して、収納溝７の内部において直接に覆蓋８の壁板１４を摺動させる構造としても良い。また、給排気手段１２は床下より配管する構造としたが、これに限らず壁３側から給排気可能な配管としても良い。また、常設する構造をとらずに、袋体６に外部より接続可能な給排気口６ａのみを設けて、非常時に給排気手段１２を接続して操作する方法としても良い。
また、給気装置としては、コンプレッサー２５を提案しているが、例えばブロアーによるものとしても良い。
【図面の簡単な説明】
【００３２】
【図１】この発明の実施形態の起伏式防水扉を示す平面図である。
【図２】この発明の実施形態の起伏式防水扉を示す常時における正面図である。
【図３】この発明の実施形態の起伏式防水扉を示す非常時における正面図である。
【図４】この発明の実施形態の起伏式防水扉を示す常時における断面図である。
【図５】この発明の実施形態の起伏式防水扉を示す非常時における断面図である。
【図６】この発明の実施形態の起伏式防水扉を示す常時における通路側からの斜視図である。
【図７】この発明の実施形態の起伏式防水扉を示す常時における壁側からの斜視図である。
【図８】この発明の実施形態の起伏式防水扉を示す非常時における通路側からの斜視図である。
【図９】この発明の実施形態の起伏式防水扉を示す非常時における壁側からの斜視図である。
【符号の説明】
【００３３】
１  起伏式防水扉
２  床
３  壁
４  通路
６  袋体
６ａ  給排気口
６ｂ  上部
６ｃ  内部
７  収納溝
７ｂ  床面
７ｃ  壁面
８  覆蓋
１２  給排気手段
１３  床板
１３ａ  縁端部
１３ｃ  側縁部
１３ｄ  下面
１４  壁板
１４ａ  側縁部
１５  床フランジ
１５ａ  外面
１５ｂ  内面
１６  リブ
１６ａ  上端部
１６ｂ  下端部
１７  保護板
１８  壁フランジ
１９  案内
Ａ  縦断方向
Ｂ  横断方向
Ｃ  鉛直方向
Ｗ  横断幅
Ｂ７  幅（収納溝）
Ｈ７ａ  深さ（収納溝）
Ｂ１３  幅（床板）
Ｌ１３  長さ（床板）
Ｂ１５  幅（床フランジ）
Ｂ１６  幅（リブ）
Ｂ１７  幅（保護板）
Ｌ１７  長さ（保護板）
【図１】
2006257652.tif 000003
【図２】
2006257652.tif 000004
【図３】
2006257652.tif 000005
【図４】
2006257652.tif 000006
【図５】
2006257652.tif 000007
【図６】
2006257652.tif 000008
【図７】
2006257652.tif 000009
【図８】
2006257652.tif 000010
【図９】
2006257652.tif 000011